(57)【要約】【課題】アルミニウム合金などの深絞り成形や複雑形状の成形に活用出来るプレス成形方法及び当該プレス成形方法の実施に好適なプレス用金型を提供する。【解決手段】プレス材４をプレス成形するとき、電磁誘導作用によりプレス材４の所要箇所に推力を発生させることにより、プレス材４に発生する内部応力とその分布を制御する。又、プレス材４の周辺を挟持するダイス１としわ押さえ３、及びダイス１内に嵌入するパンチ２を備えたプレス用金型において、ダイス１としわ押さえ３の少なくとも何れか一方に、これらダイス１としわ押さえ３とで挟持するプレス材周辺部４ａを二次導体として当該プレス材周辺部４ａに、ダイス内周肩部１ｃに向かう方向の推力を生じさせる誘導形リニアモーター用一次コイル５を埋設して成るプレス用金型。【選択図】図１
2007054855.tif 000002
【特許請求の範囲】
【請求項１】
プレス材をプレス成形するとき、電磁誘導作用によりプレス材の所要箇所に推力を発生させることにより、プレス材に発生する内部応力とその分布を制御することを特徴とする、プレス成形方法。
【請求項２】
プレス材の周辺を挟持するダイスとしわ押さえ、及びダイス内に嵌入するパンチを備えたプレス用金型を使用するプレス成形方法であって、ダイスとしわ押さえとで挟持されるプレス材周辺部に、電磁誘導作用によりダイス内周肩部に向かう方向の推力を発生させることを特徴とする、請求項１に記載のプレス成形方法。
【請求項３】
プレス材の周辺を挟持するダイスとしわ押さえ、及びダイス内に嵌入するパンチを備えたプレス用金型において、ダイスとしわ押さえの少なくとも何れか一方に、これらダイスとしわ押さえとで挟持するプレス材周辺部を二次導体として当該プレス材周辺部に、ダイス内周肩部に向かう方向の推力を生じさせる誘導形リニアモーター用一次コイルを埋設して成る、プレス用金型。
【請求項４】
前記誘導形リニアモーター用一次コイルは、ダイス内周肩部の周方向適当間隔おきの位置に対応して配設され、ダイス内周肩部の周方向又は周方向に対し直交する縦断方向の曲率が小さくなる箇所に対応するエリアでは一次コイル間の間隔が狭められている、請求項３に記載のプレス用金型。
【請求項５】
前記誘導形リニアモーター用一次コイルは、円柱状鉄心の周囲に巻線を施した円柱状の電磁コイルを３つ、前記推力を生じさせる方向に並列させて成る、請求項３又は４に記載のプレス用金型。
【発明の詳細な説明】
【技術分野】
【０００１】
本発明は、アルミニウム合金などの深絞り成形や複雑形状の成形に活用出来るプレス成形方法及び当該プレス成形方法の実施に好適なプレス用金型に関するものである。
【背景技術】
【０００２】
近年、軽量で高比剛性を持つマグネシウム合金や耐蝕性に優れるアルミニウム合金、チタン合金などのプレス成形への適用拡大が期待されている。しかしながらこれらの材料は、プレス成形性に優れた材料とは言えないため、深絞り成形や複雑形状品の成形には限界があり、例えば携帯電話器の電池ケースのように非常に深い絞り成形が必要な形状品の成形材料には活用出来なかった。この理由は、ダイスとしわ押さえとで周辺部が挟持されたプレス材がパンチによりダイス内に押し込まれるとき、しわ押さえによるしわ抑制効果を維持させながらプレス材周辺部を円滑にダイス内に滑動させることが出来ないため、ダイス内周肩部に接する箇所から内側の成形物周壁部分に引張応力が発生し、この引張応力が深絞りになればなるほど過大になり、プレス材の引張強度を上回って破断が生ずるためである。
【０００３】
上記のような問題点を解消するために従来採用された手段は、この手段を具体的に開示する特許文献を例示することは出来ないが、ダイスとしわ押さえとで挟持されたプレス材周辺部の滑り抵抗、即ち、プレス材周辺部とダイス及びしわ押さえとの接触面の摩擦抵抗を、しわ押さえによるしわ抑制効果を低下させないで出来る限り小さくすることであった。例えば潤滑材の併用や、ダイスやしわ押さえに自由回転可能なローラー、又はプレス材周辺部の滑り方向に駆動されるローラーを組み込んで、プレス材周辺部が受ける摩擦抵抗を低減させる手段であるが、何れの手段も、プレス成形性に優れた材料とは言えないようなアルミニウム合金などのプレス材を深絞り成形出来るほどの効果は期待出来なかったし、可動部材であるローラーを組み込む手段では、コストや耐久性の面でも実用的な効果は期待出来なかった。
【発明の開示】
【発明が解決しようとする課題】
【０００４】
即ち、従来周知のプレス成形方法では、プレス成形性に優れた材料とは言えないようなアルミニウム合金などのプレス材を深絞り成形したり複雑形状品に成形することが実用レベルでは出来なかったのである。
【課題を解決するための手段】
【０００５】
本発明は上記のような従来の問題点を解消し得るプレス成形方法を提供することを目的とするものであって、その手段を後述する実施形態の参照符号を付して示すと、プレス材４をプレス成形するとき、電磁誘導作用によりプレス材４の所要箇所に推力を発生させることにより、プレス材４に発生する内部応力とその分布を制御するものである。
【０００６】
例えば、プレス材４の周辺部４ａを挟持するダイス１としわ押さえ３、及びダイス１内に嵌入するパンチ２を備えたプレス用金型を使用するプレス成形方法にあっては、請求項２に記載のように、ダイス１としわ押さえ３とで挟持されるプレス材周辺部４ａに、電磁誘導作用によりダイス内周肩部１ｃに向かう方向の推力を発生させることになる。
【０００７】
上記の本発明に係る成形方法を実施するについては、請求項３に記載のように、プレス材４の周辺部４ａを挟持するダイス１としわ押さえ３、及びダイス１内に嵌入するパンチ２を備えたプレス用金型において、ダイス１としわ押さえ３の少なくとも何れか一方に、これらダイス１としわ押さえ３とで挟持するプレス材周辺部４ａを二次導体として当該プレス材周辺部４ａに、ダイス内周肩部１ｃに向かう方向の推力を生じさせる誘導形リニアモーター用一次コイル５を埋設して成るプレス用金型を使用することが出来る。
【０００８】
又、上記請求項３に記載のプレス用金型を実施する場合、請求項４に記載のように、前記誘導形リニアモーター用一次コイル５は、ダイスの周方向適当間隔おきの位置に配設するのであるが、ダイス内周肩部１ｃの周方向又は周方向に対し直交する縦断方向の曲率が小さくなる箇所に隣接するエリアでは一次コイル５間の間隔を狭めるように配列することが出来る。
【０００９】
更に、ダイス１などに埋設されるリニアモーター用一次コイルとしては、従来周知のリニアモーター用一次コイルを利用することが出来るが、請求項５に記載のように、円柱状鉄心６ａの周囲に巻線６ｂを施した円柱状の電磁コイルを３つ、前記推力Ｆを生じさせる方向に並列させたものを使用することが出来る。
【発明の効果】
【００１０】
請求項１に記載の本発明に係るプレス成形方法によれば、プレス成形時にプレス材に作用するプレス材板面方向の引っ張り力で内部引張応力が過大になって破断に至るような破断危険部位があるとき、当該破断危険部位に隣接する箇所に、電磁誘導作用により当該破断危険部位に向かってプレス材板面方向の推力を発生させることにより、当該破断危険部位へプレス材を強制的に送り込み、前記破断危険部位に生じる内部引張応力を低減させて破断の危険性を解消し、内部引張応力の分布の面では局所的な応力集中を解消することが出来る。又、プレス成形時にプレス材に作用するプレス材板面方向の押し出し力で弛み（しわ）が発生するような部位があるときは、当該弛み発生部位に隣接する箇所に、電磁誘導作用により当該弛み発生部位へのプレス材の滑り移動を抑制する向きに推力を発生させることにより、弛み（しわ）の発生を防止することも可能である。従って、本発明によるプレス成形方法を採用することにより、従来プレス成形性に優れた材料とは言えなかったマグネシウム合金やアルミニウム合金、チタン合金などのプレス材であっても、高品質な深絞り成形品や複雑形状品を容易に成形することが出来るに至ったのである。しかも従来の駆動ローラーのような可動部材を利用してプレス材に推力を与えるものではないから、金型設備にかかるコストや耐久性の面でも実用的である。
【００１１】
上記本発明プレス方法は、一般的には、プレス材の周辺を挟持するダイスとしわ押さえ、及びダイス内に嵌入するパンチを備えたプレス用金型を使用して実施されることになるが、この場合、請求項２に記載の構成を採用することにより、ダイスとしわ押さえとで周辺部が挟持されたプレス材がパンチによりダイス内に押し込まれるとき、プレス材周辺部に与えられる推力で当該プレス材周辺部を円滑にダイス内に滑動させることが出来、しわ押さえによるしわ抑制効果を維持させながらダイス内周肩部に接する箇所から内側の成形物周壁部分に過大な引張応力が発生するのを抑制し、深絞り成形であっても破断などを生じさせないで良好にプレス加工し、高品質の深絞り成形物を得ることが出来る。
【００１２】
上記のようにプレス材の周辺を挟持するダイスとしわ押さえ、及びダイス内に嵌入するパンチを備えたプレス用金型を使用する場合において、請求項３に記載の構成を採用することにより、請求項１や２に記載の本発明方法を容易に実施することが出来るのであるが、この種のプレス用金型では、成形物の形状によって、ダイス内周肩部の周方向又は周方向に対し直交する縦断方向の曲率が小さくなる箇所が存在し、当該箇所に隣接する成形物の周壁部分に特に過大な引張応力が発生して破断に至る可能性が高くなる。然るに請求項４に記載の構成を採用することにより、ダイス内周肩部に接する箇所で特に曲率が小さくなる箇所があるような成形物であっても、当該箇所に与える引張応力縮小方向の推力を他の箇所よりも大きくして当該箇所に破断が生じるのを防止出来るのである。勿論、引張応力縮小方向の推力をそれほど必要としない他の箇所に過大な推力を与えてしまうこともないので、当該他の箇所にしわ（弛み）を生じさせることはないし、誘導形リニアモーター用一次コイルの数を必要最小限に抑えることが出来るので、コスト的にも実施し易くなる。
【００１３】
更にダイス１などに埋設されるリニアモーター用一次コイルとして、請求項５に記載の構成のものを使用することにより、既製の電磁コイルを活用して安価に実施することができるだけでなく、１つの一次コイルがプレス材周辺部に発生させる推力の作用エリアの巾（推力の作用方向に対し直交する方向の巾）を狭めることが容易であるから、請求項４に記載の構成を実施する場合に好都合である。
【発明を実施するための最良の形態】
【００１４】
以下に本発明の具体的実施例を添付図に基づいて説明すると、図１及び図２は、有底円筒状の成形物をプレス成形するためのプレス用金型を示しており、同図において、１はダイス、２はパンチ、３はしわ押さえである。この金型において、ダイス１の環状上側面１ａとしわ押さえ３の環状下側面３ａとの間でプレス材４の周辺部４ａを所定の圧力で挟み込んだ状態で、パンチ２をダイス１内に所定の圧力で嵌入させることにより、プレス材周辺部４ａの内側のプレス材中央部分がパンチ２でダイス１内に押し込まれ、最終的に、ダイス１としわ押さえ３との間で挟まれていたプレス材周辺部４ａの一部が開口周辺から外側へ直角に張り出す鍔部として残った有底円筒状の成形物が成形される。尚、成形物の最終仕上げ形状によっては、残った鍔部は完全に切除されたり、一定巾や一定形状に裁断される。
【００１５】
上記構成のプレス用金型には、ダイス１の環状上側面１ａとしわ押さえ３の環状下側面３ａとの間で挟まれるプレス材周辺部４ａを二次導体とするリニアモーター用一次コイル５が埋設されている。この一次コイル５は、ダイス１としわ押さえ３の何れか一方、又はその両方に埋設することが出来るが、図示の実施形態では、ダイス１内に埋設している。又、この一次コイル５としては、従来の誘導形リニアモーター用一次コイルとして知られている平板状一次コイル、即ち、巻線用溝を並列刻設された平板状鉄心の片面に前記巻線用溝を利用して巻線を施した平板状一次コイルであっても良いが、図示の実施形態では、図３に示すように、円柱状鉄心６ａの周囲に巻線６ｂを施した３個の円柱状電磁コイル６Ａ〜６Ｃを並列したものをリニアモーター用一次コイル５として利用し、これら各電磁コイル６Ａ〜６Ｃの円柱状鉄心６ａの一端面がダイス１の環状上側面１ａと面一になるように埋設している。
【００１６】
而して一次コイル５を構成する各電磁コイル６Ａ〜６Ｃの巻線方向とこれら３個の電磁コイル６Ａ〜６Ｃの並び方向であるが、図３に示すように、これら３個の電磁コイル６Ａ〜６Ｃに３相交流電圧を120degの位相差をもって印荷したときに電磁誘導作用により二次導体であるプレス材周辺部４ａに発生する板面方向の推力Ｆの向きが、当該一次コイル５が対面するプレス材周辺部４ａをダイス１の中央成形凹部１ｂに向かって押し出す方向となるように設定されている。図示の実施形態では、有底円筒状の成形物をプレス成形するためのプレス用金型であって、図２に示すように、ダイス１の中央成形凹部１ｂが円柱形状（ダイス１の内周肩部１ｃが平面真円形）であるため、前記一次コイル５における３個の電磁コイル６Ａ〜６Ｃの並び方向は、ダイス１の中央成形凹部１ｂの中心を通る半径方向と一致し、当該ダイス１の中央成形凹部１ｂの周囲に放射状に周方向等角度おきに複数個配列され、プレス材周辺部４ａの各一次コイル５（電磁コイル６Ａ〜６Ｃ）に対面する箇所に発生する板面方向の推力Ｆの向きがダイス１の中央成形凹部１ｂの中心に向かう求心方向となる。
【００１７】
上記構成のプレス用金型において、先に説明したようにプレス材４を有底円筒状の成形物にプレス加工するとき、ダイス１の環状上側面１ａとしわ押さえ３の環状下側面３ａとの間で挟まれているプレス材周辺部４ａがパンチ２によってダイス１の中央成形凹部１ｂ内に引き込まれようとするのであるが、このときにプレス材４に作用する摩擦抵抗、特にダイス１の内周肩部１ｃとの間の摩擦抵抗によって、図１及び図３に示すように、パンチ２の周面２ａに接する成形物の周壁部分となる部分Ａにパンチ２の押し出し方向と平行な方向の引っ張り力が作用し、この引っ張り力によって前記プレス材部分Ａには大きな引張応力が発生する。このときの引張応力がプレス材４の引張強度を上回ると当該部分が破断したり、肉圧が極端に薄くなって耐久性や品質の低下につながる。換言すれば、上記構成のプレス用金型によりプレス成形するときには、前記プレス材部分Ａが破断危険部位となるのであるが、プレス加工時に各一次コイル５における電磁コイル６Ａ〜６Ｃに３相交流電圧を120degの位相差をもって印荷し、電磁誘導作用によりプレス材周辺部４ａにダイス１の中央成形凹部１ｂに向かって押し出す方向の推力Ｆを発生させることにより、プレス材周辺部４ａがパンチ２によってダイス中央成形凹部１ｂ内に引き込まれるときの見かけ上の摩擦抵抗を小さくすることが出来る。従って、パンチ２のプレス材押し込み作用に伴ってプレス材周辺部４ａがダイス環状上側面１ａとしわ押さえ環状下側面３ａとの間をダイス内周肩部１ｃの方向に円滑に滑動し、プレス材４における前記破断危険部位Ａでの引張応力を低減させ、当該破断危険部位Ａでの過大引張応力の発生に伴う前記問題を解決出来る。
【００１８】
上記構成のプレス用金型により、例えば直径40mmの有底円筒状深絞り成形物を板厚0.6
mmのマグネシウム合金でプレス加工した場合の計算による予想結果を示すと、成形時にパンチ２を押し込むために必要な加圧力は、実験により1000〜2000kgfであることが知られているので、前記破断危険部位Ａに発生する引張応力は、約13〜26kgf/mm2となる。一方、ダイス１には、図２に示すように、直径10mmの電磁コイル６Ａ〜６Ｃから成る一次コイル５を放射状に１０個配設し、各一次コイル５の電磁コイル６Ａ〜６Ｃに電圧4000V、周波数50Hzの３相交流電圧を120degの位相差をもって印荷した場合、プレス材周辺部４ａの各一次コイル５に対面する箇所に発生する推力Ｆは、有限要素法による電磁場解析の結果、50kgfとなり、１０個の一次コイル５の全体では500kgfとなる。この値は、パンチ２を押し込むときの必要加圧力の25〜50%に相当し、前記破断危険部位Ａでの引張応力を低減させてプレス成形性を大巾に向上させることが出来るのである。
【００１９】
尚、プレス成形時にプレス材周辺部４ａがパンチ２によってダイス中央成形凹部１ｂ内に引き込まれるときの摩擦抵抗、換言すれば、成形物の周壁部分に発生する引張応力は、ダイス１の内周肩部１ｃの周方向又は周方向に対し直交する縦断方向の曲率が小さい程、大きくなると考えられる。従って、例えば図４に示すように、ダイス内周肩部１ｃの平面形状が矩形で各角部１ｃａが円弧形に構成されたダイス１で有底角筒状の成形物をプレス成形するような場合には、ダイス１の環状上側面１ａに埋設される一次コイル５のダイス周方向の間隔を、ダイス内周肩部１ｃの周方向の曲率が他の箇所に比べて小さい箇所である各角部１ｃａに隣接するエリアでは、他のエリア、この場合はダイス内周肩部１ｃの平面形状が直線状の部分１ｃｂ，１ｃｃに隣接するエリアよりも狭めることにより、成形される有底角筒状成形物の周壁角部に過大引張応力が作用して破断などが生じるのを効率よく防止することが出来る。前記角部１ｃａに隣接するエリアに配設される一次コイル５の向きは、プレス材周辺部４ａの当該一次コイル５に対面する部分に生じる推力Ｆの作用線が、前記角部１ｃａの平面視における中心を通るように設定すれば良い。
【００２０】
図示の例では、ダイス内周肩部１ｃにおける長辺側の直線状部分１ｃｂに隣接するエリアには１つの一次コイル５を配設し、短辺側の直線状部分１ｃｃに隣接するエリアには一次コイルを配設していないが、これら直線状部分１ｃｂ，１ｃｃの長さに応じて適当間隔で一次コイル５を配列させることが出来る。更に、ダイス内周肩部１ｃの周方向に対し直交する縦断方向の角部曲率が周方向に関して一定でない金型の場合には、当該縦断方向の角部曲率が小さい部分に隣接するエリアには、当該縦断方向の角部曲率が大きい部分に隣接するエリアよりも周方向の間隔を狭めて一次コイル５を配設すれば良い。
【００２１】
以上の実施形態では、ダイス１のプレス材周辺部４ａを挟む部分にリニアモーター用一次コイル５を埋設したが、しわ押さえ３のプレス材周辺部４ａを挟む部分にリニアモーター用一次コイル５を埋設することも出来るし、ダイス１としわ押さえ３の両方のプレス材周辺部４ａを挟む部分にリニアモーター用一次コイル５を埋設することも出来る。又、成形物の形状として、有底円筒状物と有底角筒状物の二種類を例示したが、その他、任意の形状の成形物を成形するためのプレス用金型にも本発明に従ってリニアモーター用一次コイル５を埋設することが出来る。
【図面の簡単な説明】
【００２２】
【図１】本発明方法を実施するためのプレス用金型の一例をプレス加工時の状態で示す一部縦断側面図である。
【図２】図１に示す金型のダイスを示す平面図である。
【図３】図１の詳細を示す拡大図である。
【図４】別の金型のダイスを示す平面図である。
【符号の説明】
【００２３】
１    ダイス
１ａ    ダイス環状上側面
１ｂ    ダイス中央成形凹部
１ｃ    ダイス内周肩部
２    パンチ
３    しわ押さえ
３ａ    しわ押さえ環状下側面
４    プレス材
４ａ    プレス材周辺部
５    リニアモーター用一次コイル
６Ａ〜６Ｃ    円柱状電磁コイル
６ａ    円柱状鉄心
６ｂ    巻線
Ａ    成形物の破断危険部位
Ｆ    プレス材周辺部に作用する推力
【図１】
2007054855.tif 000003
【図２】
2007054855.tif 000004
【図３】
2007054855.tif 000005
【図４】
2007054855.tif 000006